(57)【特許請求の範囲】
【請求項１】
保水手段と、この保水手段を湿潤状態に置く給水手段と、湿潤状態の保水手段に室内から吸い込んだ空気を接触させ、加湿された空気を室内に送り出す送風手段と、室内空気の湿度を検出する湿度センサと、前記給水手段の水位を検出する水位検出手段と、運転条件を設定する操作部と、前記湿度センサが検出した湿度、前記水位検出手段からの信号及び前記操作部の設定情報に基づいて、前記送風手段を制御して加湿を行う制御装置とを備え、前記送風手段を制御して保水手段を乾燥させる乾燥運転を前記制御装置に実行させるための乾燥運転設定手段を設けるとともに、前記制御装置は、前記水位検出手段からの信号により前記給水手段の水位が所定レベル未満であることを検知している間に、前記乾燥運転設定手段から信号が入力された場合には前記乾燥運転を実行し、前記水位検出手段からの信号により前記給水手段の水位が所定レベル以上であることを検知している間に、前記乾燥運転設定手段から信号が入力された場合には前記乾燥運転の予約をし、前記給水手段の水位が所定レベル未満になったことを検知したときに前記乾燥運転を実行することを特徴とする加湿装置。
【請求項２】
前記制御装置は、前記乾燥運転中に前記水位検出手段からの信号により前記給水手段の水位が所定レベル以上であることを検出したとき、前記乾燥運転を解除することを特徴とする請求項１記載の加湿装置。
【請求項３】
前記保水手段に接触する空気を加熱する加熱手段を備え、前記制御装置は、前記乾燥運転時に前記送風手段とともに前記加熱手段を稼動させることを特徴とする請求項１又は２記載の加湿装置。
【請求項４】
前記保水手段や給水手段の清掃を促す報知手段を備え、前記制御装置は、累積加湿運転時間が所定時間に達したときに前記報知手段を作動させ、該報知手段作動中に前記乾燥運転が実施されたときに、前記報知手段の作動を解除することを特徴とする請求項１〜３のいずれかに記載の加湿装置。
【発明の詳細な説明】
【技術分野】
【０００１】
本発明は、単独で、あるいは、空気の物性を変化させて所望の雰囲気をつくり出す空気調和機、空気清浄機、ファンヒーター等の空調機器に組み合わせて用いることのできる加湿装置に関するものである。
【背景技術】
【０００２】
従来、加湿装置としては、水を貯める貯水手段と、貯水手段の水を気化させる加湿手段とを備えた構成のものが用いられており、加湿手段の加湿方式としては、水を加熱して蒸発させる加熱方式や、空気中に水を霧状に放出して気化させる霧化式あるいは吸水した加湿フィルターに空気を通過させて気化させる気化方式などが知られている。
【０００３】
上記した加湿方式にはそれぞれメリットとデメリットがある。例えば加熱方式と霧化式は装置を小型化できるが、前者はエネルギー多消費型であり、後者は装置コストが高い。大面積の加湿フィルターを用いる気化方式は、装置を小型化するという点では不利であるものの、エネルギーをそれほど必要とせず、装置コストが安く、動作信頼性も高いというメリットがある。
【０００４】
気化方式の加湿装置においては、加湿フィルターの下端を水に浸し、常時湿潤状態に置くこととしている。このような装置にあっては、加湿フィルターや貯水手段中に細菌・かび・藻類等が繁殖し、悪臭のもととなる他、それら自身あるいはその胞子が風によって室内にまき散らされることが問題となる。まき散らされた物質は、その種類によっては感染症を引き起こしかねない。また、水垢が付着するため、きめこまかに清掃しないと不純物がこびりついて水の気化性能が低下したり、故障の原因となったりしていた。
【０００５】
特許文献１に記載された加湿器では、縦長方形に形成された気化フィルターを回転駆動し、水槽部の水面と略平行になったとき、乾燥運転を行うようにしている。
【０００６】
特許文献２には、中空円筒状の加湿フィルターを回転させて加湿を行い、加湿運転終了後に、加湿フィルターの回転を停止してフィルターの乾燥を行う加湿装置が記載されている。
【０００７】
また、特許文献３に記載された気化式加湿機では、気化フィルターが浸される水槽と給水タンクを水路で連通し、この水路の途中に開閉手段を設け、運転オフ時に開閉手段を閉じて水路を遮断し、送風用ファンと加熱体をオンさせて、気化フィルターを強制乾燥させている。
【０００８】
特許文献４では、水槽部の水位を検出する水位センサを備え、水位が所定値以下となった場合に気化フィルターの乾燥処理を行う加湿器が記されている。
【０００９】
特許文献５，６には、ヒータへの通電時間や加湿時間をカウントして、使用者に清掃時期を知らせる機能を備えた加湿装置が記載されている。
【特許文献１】特開２００３−３０２０７７号公報
【特許文献２】特開２００５−２７４０９７号公報
【特許文献３】特開２００４−２３３０２２号公報
【特許文献４】特開２００３−５６８７４号公報
【特許文献５】特開平１０−１４１７１６号公報
【特許文献６】特開平８−２７０９９０号公報
【発明の開示】
【発明が解決しようとする課題】
【００１０】
上述のように、従来の気化方式の加湿装置においては、加湿運転中もしくは加湿運転終了後に、加湿フィルター自体を回転させたり、水を供給する水路を遮断したり、水槽部の水位が所定値以下となったときに、加湿フィルターの乾燥運転を自動的に行うようにしていた。
【００１１】
しかしながら、上記のように、加湿フィルター自体を回転させる構成は、加湿装置の構造を複雑化するとともに、装置の大型化を招くという不都合が生じる。また、運転中や運転終了のたびに乾燥運転を行うことは、加湿フィルターの使用当初は効果があるものの、使用時間が経過するにしたがって、加湿フィルターに対して乾燥−吸水のサイクルが繰り返され、水中に含まれる不純物の結晶化が早く、フィルターへの水垢の付着が促進されることとなる。加湿フィルターに水垢が付着し、その汚れがひどくなってくると、加湿量が極端に低下したり、運転開始時に異臭がしたりするといった不具合が生じていた。
【００１２】
また、保水手段（加湿フィルター）や給水手段（加湿トレイ・給水タンク）の汚れを想定し、使用者に定期的な清掃を促すための報知手段を備えているが、フィルターへの水垢の付着が早くなると、清掃時期を報知した時点では既に汚れの度合いが進んでおり、清掃しているのに汚れが落ちない等の不満を抱かせる要因となっていた。
【００１３】
この発明は、上記のような課題を解消するためになされたもので、構造が簡単で、かつ保水手段に最適なタイミングで、効果的な処置を行うことのできる加湿装置を得ることを目的とする。
【課題を解決するための手段】
【００１４】
上記目的を達成するため、本発明に係る加湿装置は、保水手段と、この保水手段を湿潤状態に置く給水手段と、湿潤状態の保水手段に室内から吸い込んだ空気を接触させ、加湿された空気を室内に送り出す送風手段と、室内空気の湿度を検出する湿度センサと、前記給水手段の水位を検出する水位検出手段と、運転条件を設定する操作部と、湿度センサが検出した湿度、水位検出手段からの信号及び操作部の設定情報に基づいて、送風手段を制御して加湿を行う制御装置とを備え、送風手段を制御して保水手段を乾燥させる乾燥運転を前記制御装置に実行させるための乾燥運転設定手段を設けるとともに、制御装置は、水位検出手段からの信号により給水手段の水位が所定レベル未満であることを検知している間のみ、乾燥運転設定手段からの入力信号により乾燥運転を実行することを特徴とする。
【００１５】
すなわち、本発明においては、給水手段に貯留された水に保水手段の下端部を浸漬し、保水手段を常時湿潤状態に置きながら保水手段から水分を気化させる気化方式の加湿装置において、前記制御装置に乾燥運転を実行させるための乾燥運転設定手段を設け、制御装置が給水手段の水位が所定レベル未満であることを検知している間のみ、使用者の意思で乾燥運転に設定することができるようにしたものである。なお、給水手段の水位が所定レベル未満とは、給水手段の水位が保水手段の下端よりも下がった状態であることをいい、保水手段への水の供給が断たれることを意味する。
【００１６】
これにより、構造が簡単で、かつ使用者が加湿装置内部の清掃を行った後等、適切なタイミングで加湿フィルターを乾燥させることができる。ここで、乾燥運転とは、給水手段の水位が所定レベル未満になってから一定時間送風手段を稼動させることをいい、この乾燥運転により、保水手段における細菌・かび・藻類等の繁殖を防止し、悪臭を発生したり感染症の原因になったりするのを抑制するとともに、フィルターの寿命を永らえることができる。乾燥運転において、制御装置は、所定時間経過後は送風手段を停止する。
【００１７】
また、本発明では、制御装置が給水手段の水位が所定レベル未満であることを検知している間のみ、乾燥運転設定手段からの入力信号により乾燥運転を実行する。すなわち、給水手段の水位が保水手段の下端よりも上に存在するときに乾燥運転を実行することは、加湿運転を行なうのと変わりがないので、給水手段の水位が所定レベル未満のときに入力信号を受け付けることで、本来の目的である乾燥運転を確実に実施することができる。
【００１８】
また、上記加湿装置においては、制御装置が水位検出手段からの信号により前記給水手段の水位が所定レベル以上であることを検知している間に、乾燥運転設定手段から信号が入力された場合には乾燥運転の予約をし、給水手段の水位が所定レベル未満になったことを検知したときに乾燥運転を実行するように制御する。
【００１９】
上記構成によれば、給水手段の水位が所定レベル未満になるのを待つことなく、予め乾燥運転を予約しておくことで給水手段の水位が所定レベル未満になった時点で自動的に乾燥運転を実行することが可能となり、利便性の高い加湿装置を提供することができる。
【００２０】
上記加湿装置においては、制御装置が乾燥運転中に水位検出手段からの信号により給水手段の水位が所定レベル以上であることを検出したとき、乾燥運転を解除するようにすればよい。具体的に、制御装置は、乾燥運転開始とともに、一定時間の計測を開始する。その途中において、給水手段の水位が所定レベル以上になれば、保水手段に給水が開始されるため、計測を中止し、それまで計測した時間もリセットする。その後、送風手段を停止させてもよいし、通常の加湿運転を行なうようにしてもよい。
【００２１】
加湿装置がさらに保水手段に接触する空気を加熱する加熱手段を備え、制御装置が乾燥運転時に送風手段とともに加熱手段を稼動させるようにしてもよい。これにより、乾燥運転の所要時間を短縮することができるとともに、保水手段に加熱空気を接触させることにより、保水手段における細菌・かび・藻類等の繁殖を防止するのみならず、積極的に保水手段の殺菌をすることが可能となる。
【００２２】
また、本発明では、保水手段や給水手段の清掃を促す報知手段を備え、制御装置は、累積加湿運転時間が所定時間に達したときに報知手段を作動させ、報知手段作動中に乾燥運転が実施されたときに、報知手段の作動を解除するようにした。
【００２３】
これにより、乾燥運転と清掃時期の報知が関連付けられ、使用者が加湿装置内部の清掃後に乾燥運転を行う意識が高まり、加湿フィルターが洗浄された後に乾燥されることになるので、細菌・かび・藻類等の繁殖を防止し、運転初期の臭いの発生を抑え、フィルター性能の低下を防ぐ。
【発明の効果】
【００２４】
本発明によると、気化方式の加湿装置において、制御装置に乾燥運転を前記制御装置に実行させるための乾燥運転設定手段を設け、制御装置が給水手段の水位が所定レベル未満であることを検知している間のみ、使用者の意思で乾燥運転に設定することができるようにしたため、構造が簡単で、かつ使用者が適切なタイミングで加湿フィルターを乾燥させることが可能な加湿装置を得ることができる。
【発明を実施するための最良の形態】
【００２５】
以下、本発明に係る加湿装置の実施の形態について、図面を用いて説明する。図１は加湿装置の正面側から見た外観斜視図、図２は同じく加湿装置の各構成部品を取り外す状態を背面側から見た分解斜視図、図３は、本発明における加湿装置の概略構成図である。本実施形態においては、加湿手段の加湿方式として加湿フィルター及び送風手段を用いた気化方式を採用している。以下、加湿装置の構造について説明する。
【００２６】
図１〜図３において、１は加湿装置本体であり、装置本体１の内部には、水を貯める給水トレイ４と、給水トレイ４に水を供給する給水タンク２とから構成される給水手段と、トレイ４内の水を気化させる保水手段としての加湿フィルター１１と、加湿フィルター１１を通過する空気を送る送風手段としての送風機１５とから構成されている。
【００２７】
また、装置本体１の背面側には、図２に示すように、送風機１５により室内空気を吸い込む吸込口１７が形成され、この吸込口１７に空気用フィルターが取り付けられている。また、装置本体１の上面には吸込口１７から吸い込んだ空気を吹出す吹出口６、７が形成されている。この吹出口６，７は、加湿フィルター１１を通って水分を含んだ空気を吹出す加湿空気用の吹出口６と、マイナスイオンおよびプラスイオンを含んだ空気を吹出すイオン吹出口７であり、これらが本体上面に並んで配置されている。そして、装置本体１内には、吸込口１７から吹出口６，７に至る空気の経路が形成されている。
【００２８】
図２のように、水供給系統である給水タンク２、給水トレイ４、及び給水トレイ４の装着部に装着された加湿フィルター１１は、装置本体１に着脱自在に装着される態様を採用しており、これにより水供給系統の手入れが容易に行えるようになっている。
【００２９】
図３は、前述のごとく、本発明に係る加湿装置の概略構成図であり、装置本体１内の空気の送風経路と水の供給経路を示している。空気の送風経路には、吸込口１７から吸込んだ空気を加熱する加熱手段としての加熱体１６と、送風手段としての送風機１５と、さらに下流側の吹出口６に至る経路に配置された加湿フィルター１１とが設けられ、また、送風機１５からの空気の一部がイオン吹出口７に至る経路には、プラスイオンとマイナスイオンとを発生するイオン発生装置１４が設けられている。
【００３０】
上記送風経路においては、送風機１５により装置本体１の吸込口１７から吸い込まれた空気は、加熱体１６で加温されて、送風機１５から加湿フィルター１１に送られ、加湿フィルター１１に吸い込まれている水分を蒸発させて、水分を含んだ加湿空気として吹出口６より放出される。また、送風機１５を出た空気の一部はイオン発生装置１４に送られ、イオン発生装置１４で発生したプラスイオンとマイナスイオンを含んだ空気となって、イオン吹出口７より吹き出される。
【００３１】
また、加湿フィルター１１に水を供給する水の供給経路においては、装置本体１から取り外し自在な給水タンク２の水が、タンク２の給水口を介してトレイ４に貯えられる。加湿フィルター１１は、吸水性を有する不織布からなり、断面形状をハニカム状の直方体とし、給水トレイ４の上方部に配設する。そして、給水タンク２から貯水タンクに十分な水が供給可能な状態において、加湿フィルター１１の下方の一部分が給水トレイ４に浸った状態に設置することにより、フィルターの毛細管現象が働き、フィルター全面に水が行き渡るようになっている。
【００３２】
送風手段の送風機１５は、回転自在に支持された円筒形のファンと、このファンを回転させるファンモータとから構成されている。そして、ファンの回転により、装置本体１が設置された室内の空気を吸込口１７から吸込み、加湿フィルター１１を通じて、吹出口６から送風するようになっている。
【００３３】
また、送風機１５は、加湿空気を多量に発生させるときにはファンの回転数を増加させて送風量を多くし、逆に加湿空気の発生量を抑えるときはファンの回転数を低下させて送風量を少なくする。このように、送風機１５の送風量を調節することで加湿の制御が可能となっている。
【００３４】
装置本体１内の空気の流れ方向に対して送風機１５の上流側には加熱体１６が配設されている。この加熱体１６は、ニクロム線ヒータや正特性ヒータ等で形成されているが、この加熱体１６は極力使用せずに、加湿の立ち上がりを早めたいときや加湿を多量に行いたいとき、あるいは加湿フィルター１１を乾燥させるときのみに駆動させる。
【００３５】
また、加熱体１６の上流側で吸込口１７近傍には、湿度センサ５０が設けられている。この位置に湿度センサ５０を設けることにより、送風機１５の運転が停止されて加湿装置内に加湿空気が滞留した場合であっても、送風機１５の運転開始により、湿度センサ５０付近の湿度は速やかに室内湿度に近い湿度に戻る。従って、加湿装置内の空気がすべて入れ替わるまで湿度の検出を待機する必要がなく、送風機１５の運転開始から数秒〜十数秒ほど遅延して湿度センサの湿度を検出すれば、実際の室内湿度に近い湿度の値を得ることができる。
【００３６】
給水トレイ４の内部には、水の量が低減して所定水位以下に達したことを検知する水位検出手段２１が設けられ、この水位検出手段２１で所定水位以下になったことを検出すると、操作部５に報知するようになっている。水位検出手段２１は、水位を検出できるものであれば特に制限なく使用することができる。本実施形態においては水位検出手段２１として具体的にフロートスイッチを使用しているが、このほかにも光センサなどの位置センサを例示することができる。また、重量センサを用いてトレイ４内の水量からその水位を検出するようにしてもよい。
【００３７】
装置本体１の制御回路は図４のように構成される。操作部５には運転スイッチ６０、加湿切換スイッチ６１、イオン運転スイッチ６２、フィルター乾燥スイッチ６３及びリセットスイッチ６４が配置される。制御装置４１は、上記スイッチ群からの信号を受け取るスイッチ入力回路４２と、スイッチ入力回路４２から入力データを受け取る制御部４３とを備える。制御部４３は、制御の要となる箇所であり、ＣＰＵやメモリ等、いわゆるマイクロコンピュータを構成するのに必要な要素を備える。
【００３８】
制御部４３は、イオン発生装置駆動回路３０、送風機駆動回路３１及び加熱体駆動回路３２を制御する。制御部４３には、湿度センサ５０からも信号が伝えられる。運転スイッチ６０は、装置本体１全体のメインスイッチとなるものであり、「入」「切」の２状態に切り換えられる。
【００３９】
加湿切換スイッチ６１は、加湿運転の運転モードを選択するものであり、押す度に「自動」→「強」→「中」→「弱」→「切」→「自動」の順で切り換わる。イオン運転スイッチ６２は、イオン発生装置１４の運転モードを選択するものであり、押すたびに「入」→「切」→「入」→「切」の順で切り換る。上述のごとく、操作部５においては、運転モードやイオン発生の有無等の運転条件を設定可能とされている。
【００４０】
次に装置本体１の動作を説明する。まず運転スイッチ６０を「切」にしておいて給水タンク２を取り出し、給水タンク２に水を入れ、再び給水トレイ４の上にセットする。それから運転スイッチ６０を「入」にする。
【００４１】
加湿切換スイッチ６１とイオン運転スイッチ６２は、初期状態では「自動」及びイオン運転「入」となっており、運転スイッチ６０を「入」にすると、イオン発生を伴う自動加湿運転が開始される。なおイオン運転「入」とは、プラスイオンとマイナスイオンの集団であるイオンクラスターが、イオン発生装置１４で生成されることを意味する。
【００４２】
自動加湿運転は、湿度センサ５０により検出された検出湿度と、予め記憶設定された湿度との差に応じて、加熱体１６を制御したり、送風機１５の回転を制御したりするなどして、加湿量を変えて自動的に加湿制御される。
【００４３】
例えば、設定された湿度と検出湿度との差が大きいときには、送風機１５の回転数を上げて送風量を多くすることで、加湿フィルター１１からの水分の離脱量を多くする加湿運転の制御をする。
【００４４】
特に、強加湿運転時や、設定された湿度と検出湿度との差が大きい場合においては、加熱体１６を駆動させて加湿装置内に吸込んだ空気を加熱して加湿フィルター１１からの水分の離脱量をより多くする加湿運転の制御を行う。
【００４５】
また、加湿運転時にイオン発生装置１４が不要なときは、イオン運転スイッチの『切』を選択することで、その駆動を停止することができ、加湿運転だけでも使用することができる。
【００４６】
制御部４３は、計測手段４４を備えている。計測手段４４は、加湿運転の稼動時間を累積的に計測するものであり、具体的には、運転スイッチ６０の『入』の信号が制御部４３に入力されると、制御部４３は送風機１５、場合によっては加熱体１６を稼動させ、これにより加湿運転が開始され、それとともに計測手段４４の時間計測が開始される。時間の計測は、運転スイッチ６０の『切』信号が制御部４３に入力された時点で停止し、次に運転スイッチ６０の『入』信号が制御部４３に入力されると、前回計測を停止した時点から時間の計測が再開され、計測時間が累積されていく。報知手段１８は、動作時にランプが点灯し、保水手段や給水手段の手入れ時期を報知するようになっている。
【００４７】
報知手段１８により、手入れ時期が報知されたとき、使用者は給水トレイ４、加湿フィルター１１、給水タンク２等の清掃を行う。特に加湿フィルター１１の汚れや水垢の付着は、運転時の吹出口からの臭いや加湿量の低下を生じるため、加湿フィルター１１については、念入りに清掃を行う必要がある。
【００４８】
具体的なお手入れの方法としては、まず、水またはぬるま湯に洗剤を入れて溶かし、その中に加湿フィルター１１を入れて、約３０〜６０分つけ置き洗いをする。特に水垢が取れにくいときは、洗剤の代わりにクエン酸を入れて溶かし、約２時間つけ置く。その後十分に水ですすぎ洗いをして、元の場所に取り付ける。この後使用者は、リセットスイッチ６４を押して、報知手段１８によって報知されているお手入れ時期を促す表示の解除を行う。これにより、計測手段４４の計測時間がクリアされ、再びゼロから時間計測が行われる。
【００４９】
続けて加湿装置を使用する場合は、特に加湿フィルター１１を乾燥させる必要はないが、装置本体１をそのまま収納してしまう場合は、加湿フィルター１１を完全に乾燥させておく必要がある。しかしながら、使用者にとっては十分に陰干しをしても、フィルターの内部まで完全に乾燥しているかどうかは不明である。
【００５０】
ここで、乾燥運転設定手段としてのフィルター乾燥スイッチ６３を押すことにより、加湿フィルター１１を乾燥させる乾燥運転を行う。本実施形態では、加湿フィルターの乾燥運転は、加熱手段１６と送風手段１５を所定時間駆動することによって行なわれる。これにより、加湿フィルター１１に空気が吹き付けられる。加湿フィルター１１に接触した空気は加湿フィルター１１に残存した水分を奪いとり、加湿フィルター１１を完全に乾燥させる。
【００５１】
加湿フィルター１１に接触する空気は加熱手段１６により加熱されて約６０〜７０℃の温風となっており、乾燥が促進され、殺菌効果も高まる。このようにして、加湿フィルター１１を確実かつ完全に乾燥させ、加湿フィルター１１に付着していた細菌・かび・藻類等の活動力を弱め、臭いの発生を防止する。なお、これに限らず、フィルター乾燥スイッチ６３を押すと送風手段１５が所定時間駆動するようにしてもよく、加熱手段１６を駆動させるか否かを選択できるようにしてもよい。
【００５２】
また、乾燥運転を行うときに、給水トレイ４に水が貯えられていれば、通常の加湿運転と何ら変わりないことになる。つまり、加湿フィルターが水に浸されているため、乾燥運転の効果が全く得られない。
【００５３】
そこで、フィルター乾燥スイッチ６３は、給水トレイ４に水が入っていないとき、すなわち、水位検出手段２１が所定水位以下であることを検出したときのみ受け付けるようにする。こうすることにより、誤って給水トレイに水が入っている状態で加湿フィルターがセットされても、フィルター乾燥運転に入ることはなく、使用者が意図していない加湿運転が行われることがない。
【００５４】
図５は、本実施形態を示す実行プログラムのフローチャートである。図中、「♯」は各ステップを表わすので、以下「ステップ○○○」として説明する。
【００５５】
まず、ステップ１００でフィルター乾燥運転中か否かを判断する。既にフィルター乾燥運転モード中であればステップ１１０に、フィルター乾燥運転モード中でなければ、ステップ１６０に移行し、フィルター乾燥スイッチ６３がＯＮされたか否かを判断する。
【００５６】
ステップ１６０でＮｏのとき、すなわちフィルター乾燥スイッチ６３がＯＮしていないときは加湿運転でモードの変化がないので、ステップ１００に戻る。Ｙｅｓのときはステップ１２０に移行する。
【００５７】
ステップ１２０では、水位スイッチ２１がＯＮしているかどうか、つまり給水トレイ４に水が入っているかどうかを判断する。Ｙｅｓのときは給水トレイ４に水が入った状態であり、そのままでは乾燥運転を行えないので、ステップ１７０でフィルター乾燥運転を解除して、ステップ１００に戻る。すなわち、本実施形態では、乾燥運転が解除されたときには通常の加湿運転に戻ってそのまま運転が継続されるようになっている。
【００５８】
Ｎｏのときには、ステップ１３０に進み、送風機１５を強運転し、加熱体１６をＯＮして、フィルター乾燥運転を行う。ステップ１４０では、乾燥運転の時間を判定し、所定時間（ここでは６０分）が経過すれば、ステップ１５０に進んで、フィルター乾燥運転を終了する。時間が経過していなければ、ステップ１００に戻って、乾燥運転を継続する。
【００５９】
また、ステップ１００で既にフィルター乾燥運転モード中であると判断されると、ステップ１１０で、フィルター乾燥スイッチ６３がＯＮされたか否かを判断する。Ｙｅｓのとき、すなわちフィルター乾燥スイッチ６３が再度押されたときは、手動で乾燥運転解除の操作があったものと判断し、ステップ１７０でフィルター乾燥運転を解除して、ステップ１００に戻る。フィルター乾燥スイッチ６３がＯＮされていないときは、フィルター乾燥運転の状態が継続されるので、ステップ１２０に移行する。以降の動作は、前述のステップ１２０以降の動作と同様である。
【００６０】
さらに、報知手段１８により、加湿フィルター１１や給水トレイ４の手入れ時期を使用者に知らせるようになっているが、この報知手段１８は、使用者が製品各部の清掃を終えた後、自身でリセットスイッチ６４を押すことによって解除できるようになっている。フィルター乾燥運転は、製品収納時点での加湿フィルターの完全乾燥を目的とし、乾燥運転開始の時点では、加湿フィルター１１や給水トレイ４は清掃されていることが多い。フィルター乾燥運転を行い、終了後に報知手段１８の作動を解除するようにすれば、製品本体へのお手入れと加湿フィルター乾燥が関連付けられ、使用者にフィルター清掃（洗浄）と乾燥を一連の流れとして認識させることができ、お手入れのタイミングのたびにフィルターの洗浄と乾燥を繰り返すことで、フィルターに残存する細菌・かび・藻類等の活動力を弱め、運転開始時の臭いの発生を防止し、加湿フィルターの性能の低下を防ぐ。
【図面の簡単な説明】
【００６１】
【図１】本発明の実施形態である加湿装置の正面側から見た外観斜視図
【図２】図１の加湿装置の各構成部品を取り外す状態を背面側から見た分解斜視図
【図３】図１の概略構成図
【図４】図１の加湿装置の制御ブロック図
【図５】本発明に係る加湿装置の実行プログラムのフローチャート
【符号の説明】
【００６２】
１      装置本体
２      給水タンク
４      給水トレイ
５      操作部
６      吹出口
７      イオン吹出口
１１    加湿フィルター
１４    イオン発生装置
１５    送風機
１６    加熱体
１７    吸込口
１８    報知手段
１９    表示部
２１    水位スイッチ
２３    弁部
３０    イオン発生装置駆動回路
３１    送風機駆動回路
３２    加熱体駆動回路
４０    操作スイッチ群
４１    制御装置
４２    スイッチ入力回路
４３    制御部
４４    計測手段
５０    湿度センサ
６０    運転スイッチ
６１    加湿切換スイッチ
６２    イオン運転スイッチ
６３    フィルター乾燥スイッチ
６４    リセットスイッチ
【図１】
0004782737.tif 000002
【図２】
0004782737.tif 000003
【図３】
0004782737.tif 000004
【図４】
0004782737.tif 000005
【図５】
0004782737.tif 000006